(57)【要約】【課題】後側板と左右側板との連結を左右の手で並行して行えるようにして、組立てが迅速に行える菓子箱用展開シートを得る。【解決手段】方形の底板（１１）を設けるとともに、該底板（１１）の左右縁に左右側板（１２，１３）を、前後縁に前後側板（１４，１５）をそれぞれ屈曲可能に設け、後側板（１５）の左右の縁と左右側板（１２，１３）の後部の縁との間にまち板（１６，１７）をそれぞれ内方に向けて屈曲可能に設け、各まち板（１６，１７）の後縁に突起（１８，１９）を設けるとともに、各まち板（１６，１７）の左右方向の外縁部に前記突起（１８，１９）が嵌合可能な係止片（２０，２１）を内方に向けて屈曲可能に設け、前側板（１４）の前縁と後側板（１５）の後縁とのうち、少なくともいずれか一方に天板（２２，２３）をそれぞれ屈曲可能に設ける。【選択図】      図４
2004338799.tif 000002
【特許請求の範囲】
【請求項１】
方形の底板（１１）を設けるとともに、該底板（１１）の左右縁に左右側板（１２，１３）を、前後縁に前後側板（１４，１５）をそれぞれ屈曲可能に設け、後側板（１５）の左右の縁と左右側板（１２，１３）の後部の縁との間にまち板（１６，１７）をそれぞれ内方に向けて屈曲可能に設け、各まち板（１６，１７）の後縁に突起（１８，１９）を設けるとともに、各まち板（１６，１７）の左右方向の外縁部に前記突起（１８，１９）が嵌合可能な係止片（２０，２１）を内方に向けて屈曲可能に設け、前側板（１４）の前縁と後側板（１５）の後縁とのうち、少なくともいずれか一方に天板（２２，２３）をそれぞれ屈曲可能に設けたことを特徴する組立式菓子箱用展開シート。
【請求項２】
方形の底板（１１）を設けるとともに、該底板（１１）の左右縁に左右側板（１２，１３）を、前後縁に前後側板（１４，１５）をそれぞれ屈曲可能に設け、後側板（１５）の左右の縁と左右側板（１２，１３）の後部の縁との間にまち板（１６，１７）をそれぞれ内方に向けて屈曲可能に設け、各まち板（１６，１７）の後縁に突起（１８，１９）を設けるとともに、各まち板（１６，１７）の左右方向の外縁部に前記突起（１８，１９）が嵌合可能な係止片（２０，２１）を内方に向けて屈曲可能に設け、前側板（１４）の前縁及び後側板（１５）の後縁に天板（２２，２３）をそれぞれ屈曲可能に設け、左右側板（１２，１３）の前縁に互いに係合可能な連結板（２４，２５）をぞれぞれ屈曲可能に設け、前記各天板（２２，２３）の前後方向の外縁に把手（２６，２７）をそれぞれ屈曲可能に設け、前記左右側板（１２，１３）の左右方向の外縁に前記把手（２６，２７）の左右端部が係止する把手止め片（２８，２９）を設けたことを特徴する組立式菓子箱用展開シート。
【発明の詳細な説明】
【技術分野】
【０００１】
本発明は、洋菓子、あるいは和菓子等を収容する組立式菓子箱用展開シートに関するものである。
【背景技術】
【０００２】
従来の技術として、図１０に示すものがあった。即ち、方形の底板１の対向辺にそれぞれ折目ａを介して一対ずつ合計二対の側板２，３を連設するとともに、これら各側板のうち相隣る三つの側板２，３，３間における二つのコーナ部にそれぞれ折目ａを介して傾斜折線ｍを境界とする補強片４付の接着片４ａと折込み片４ｂとを連設し、これら接着片４ａ，４ａを側板３，３の内面に接着するとともに、前記補強片４をその折線ｎで折込み片４ｂの上辺に被せ折返してその先端を側板係止孔ｂに係入することで前記相隣る三つの側板２，３，３を起立保持し、各天板５，５をそれぞれ底辺１と平行にしたまま提手片５Ａ，５Ａを起立合掌させてその係止溝５ａ，５ａにそれぞれ舌片６Ａ，６Ａをその係止孔６ａ，６ａに係入する。（例えば、特許文献１参照）。
【特許文献１】実開平６−２２２１３号公報（第１頁）
【発明の開示】
【発明が解決しようとする課題】
【０００３】
上記従来のものは、左右の補強片４を折線ｎを中心として折り返し、その先端を後部側板２の左右両縁部に形成した側板係止孔ｂに係入することで前記相隣る三つの側板２，３，３を起立保持するようにしていたので、一方の補強片４の先端を上記側板係止孔ｂに係入させる際に両手を使わねばならず、組立てに手数を要するものであった。本発明は、左右の突起と係止スリットとの係合を片手づつで同時に行って相隣る三つの側板が起立保持できるようにすることにより、上記不具合を解消した新規な組立式菓子箱用展開シートを得ることを目的とする。
【課題を解決するための手段】
【０００４】
本発明は、上記目的を達成するために以下の如く構成したものである。即ち、請求項１に係る発明は、方形の底板を設けるとともに、該底板の左右縁に左右側板を、前後縁に前後側板をそれぞれ屈曲可能に設け、後側板の左右の縁と左右側板の後部の縁との間にまち板をそれぞれ内方に向けて屈曲可能に設け、各まち板の後縁に突起を設けるとともに、各まち板の左右方向の外縁部に前記突起が嵌合可能な係止片を内方に向けて屈曲可能に設け、前側板の前縁と後側板の後縁とのうち、少なくともいずれか一方に天板をそれぞれ屈曲可能に設ける構成にしたものである。
請求項２に係る発明は、方形の底板を設けるとともに、該底板の左右縁に左右側板を、前後縁に前後側板をそれぞれ屈曲可能に設け、後側板（１５）の左右の縁と左右側板の後部の縁との間にまち板をそれぞれ内方に向けて屈曲可能に設け、各まち板の後縁に突起を設けるとともに、各まち板の左右方向の外縁部に前記突起が嵌合可能な係止片を内方に向けて屈曲可能に設け、前側板の前縁及び後側板の後縁に天板をそれぞれ屈曲可能に設け、左右側板の前縁に互いに係合可能な連結板をぞれぞれ屈曲可能に設け、前記各天板の前後方向の外縁に把手をそれぞれ屈曲可能に設け、前記左右側板の左右方向の外縁に前記把手の左右端部が係止する把手止め片を設ける構成にしたものである。
【発明の効果】
【０００５】
請求項１に係る発明は、後側板の左右の縁と左右側板の後部の縁との間にまち板をそれぞれ内方に屈曲可能に設け、各まち板の後縁に突起を設けるとともに、該各まち板の左右方向の外縁部に前記突起が嵌合可能な係止片を内方に向けて屈曲可能に設けるようにしたので、左右の手で左右のまち板を同時に内方に曲げてその係止片と突起とを嵌合係止させて左右側板と後側板との三者を起立保持することができ、展開シートの組立てが容易にかつ迅速に行えることになる。
請求項２に係る発明は、請求項１の構成に加え、前後の各天板の前後方向の外縁に把手をそれぞれ屈曲可能に設け、左右側板の左右方向の外縁に前記把手の左右端部が係止する把手止め片を設けるようにしたので、展開シートの組立てが容易にかつ迅速に行えるとともに、菓子箱を形成するシートにより把手を容易に形成することができる。
【発明を実施するための最良の形態】
【０００６】
以下、本発明の実施の形態を図面に基いて説明する。図面において、図１は本発明の第１実施例を示す展開シートの平面図、図２は後側板と左右側板との組立て要領を示す斜視図、図３は後側板と左右側板との組立て状態を示す斜視図、図４は左右の連結板の係合状態を示す斜視図、図５は組立て完了した菓子箱の斜視図、図６は本発明の第２実施例を示す展開シートの平面図、図７は第２実施例による組立て中途の状態を示す斜視図、図８は本発明の第３実施例を示す展開シートの平面図、図９は第３実施例による組立て中途の状態を示す斜視図である。
【０００７】
図１において、１０は厚紙により形成した菓子箱用の展開シートであり、例えば左右幅が約５２４ｍｍ、上下幅が約６００ｍｍ、厚さ約１ｍｍの厚紙により、以下の如く形成される。即ち、井桁状の折れ線を入れて中心部に左右幅約２１０ｍｍ、前後幅約１５０ｍｍの底板１１を形成し、該底板１１の左右縁１１ａ，１１ｂ、及び前後縁１１ｃ，１１ｄにそれぞれ左右幅約１１０ｍｍ、前後幅約１５０ｍｍとなる左右側板１２，１３、及び前後側板１４，１５を屈曲可能に連結する。
【０００８】
上記後側板１５の左右縁１５ａ，１５ｂと、左右側板１２，１３の後縁１２ｂ，１３ｂとの間にそれぞれ左右のまち板１６，１７を連結する。該まち板１６，１７は、対角線側の外端部を谷形に削除するとともに、上記縁１５ａ，１２ｂ及び縁１５ｂ，１３ｂの二等分線上に対角折れ線ｍ１，ｍ２を形成し、該対角折れ線ｍ１，ｍ２を中心として後側板１５側の後部まち片１６ａ，１７ａと左右側板１２，１３側の前部まち片１６ｂ，１７ｂとをそれぞれ内方に向けて屈曲可能とする。
【０００９】
上記後部まち片１６ａ，１７ａの後縁に後方に突出する突起１８，１９を形成し、上記前部まち片１６ｂ，１７ｂの左右方向の外縁部に係止片２０，２１を内方に向けて屈曲可能に連結し、該係止片２０，２１の連結部の中間部に上記突起１８，１９が嵌合可能な係止スリット２０ａ，２１ａを形成する。
【００１０】
上記前側板１４の前縁１４ｃ及び後側板１５の後縁１５ｃに前後天板２２，２３をそれぞれ屈曲可能に連結し、前天板２２の前縁２２ａ及び後天板２３の後縁２３ａに互いに相対する前後把手２６，２７を屈曲可能に連結する。該把手２６，２７はその左右端部に係合突起２６ａ，２６ｂ、２７ａ，２７ｂを有する。上記前後把手２６，２７の連結の左右中心部に溝形の把手孔スリット２６ｃ，２７ｃを形成するとともに、後部側の把手スリット２７ｃの開放端側間に折線を形成して逃げ片２７ｄを形成する。
【００１１】
上記左右側板１２，１３の前縁１２ａ，１３ａに互いに係合可能な連結板２４，２５をぞれぞれ屈曲可能に連結する。該連結板２４，２５は、その前端部に互いに上下方向から係合可能な係合片２４ａ，２５ａを有する。また、上記左右側板１２，１３の左右方向の外縁１２ｃ，１３ｃに把手止め片２８，２９を屈曲可能に連結する。該把手止め片２８，２９はその前後方向中間部に止めスリット２８ａ，２９ａを有し、該止めスリット２８ａ，２９ａは前述した前後把手２６，２７の係合突起２６ａ，２６ｂ、２７ａ，２７ｂに左右方向から嵌合可能となっている。
【００１２】
次に上記展開シート１０の組立て要領について説明する。まず、左右のまち板１６、１７の各前まち辺１６ｂ，１７ｂの内面側に所定の接着剤（ア）を塗布しておく（図２）。この状態で後側板１５及び左右側板１２，１３をそれぞれの後縁１１ｄ、後縁１２ｂ，１３ｂを中心として上方に起立させる（図２の右部の状態）。次いで、左右の手で左右のまち板１６、１７を、その対角折れ線ｍ１，ｍ２を前方に押しつつ、縁１５ａ，１５ｂ、１２ｂ，１３ｂを中心として内方に折り曲げ、同時に左右側板１２，１３を縁１１ａ，１１ｂを中心として上方に起立させる（図２の左部の状態）。
【００１３】
次いで、上記内方に折り曲げた左右のまち板１６、１７を左右側板１２，１３の内面に押しつけ、各前まち辺１６ｂ，１７ｂを上記接着剤（ア）を介して左右側板１２，１３の内面に固着した後、各前まち辺１６ｂ，１７ｂ側の係止片２０，２１を内方に直角に折り曲げつつ、その係止スリット２０ａ，２１ａを各後まち辺１６ａ，１７ａの突起１８，１９に嵌合させ、該係止スリット２０ａ，２１ａ及び突起１８，１９を介して左右の後まち辺１６ａ，１７ａを左右側板１２，１３の内面側に係止する（図３の状態）。
【００１４】
次いで、左右の連結板２４，２５を縁１２ａ、１３ａを中心として内方に屈曲させるとともに、その係合片２４ａ，２５ａを上下に係合させて両者を互いに連結する（図４）。次いで、前側板１４を縁１１ｃを中心として上方に折り曲げ、次いで、前後の天板２２，２３を縁１４ｃ，１５ｃを中心として対面方向に重ね折りした後、前後把手２６，２７を上方に折り曲げて起立させる。
【００１５】
次いで、図５に示すように、左右の把手止め片２８，２９を縁１２ｃ，１３ｃを中心として対面方向に折り曲げるとともに、その止めスリット２８ａ，２９ａを上記前後把手２６，２７の左右端部、即ち、係合突起２６ａ，２７ａ、２６ｂ、２７ｂに嵌合させ、前後把手２６，２７を合掌状に重ね合わせる。次いで、後把手２７側の逃げ片２７ｄを正面方向（前方）に折り曲げ、把手孔３０を形成し、菓子箱Ａを形成する。
【００１６】
図６、図７は第２実施例を示す。図６において、１０−１は厚紙により形成した菓子箱用の展開シートであり、井桁状の折れ線を入れて内部に長方形状の底板１１を形成し、該底板１１の左右縁１１ａ，１１ｂ、及び前後縁１１ｃ，１１ｄにそれぞれ長方形状の左右側板１２，１３、及び前後側板１４，１５を屈曲可能に連結する。
【００１７】
上記後側板１５の左右縁１５ａ，１５ｂと、左右側板１２，１３の後縁１２ｂ，１３ｂとの間にそれぞれ左右のまち板１６，１７を連結する。該まち板１６，１７は前述した第１実施例と同様に、対角線側の外端部を谷形に削除するとともに、上記縁１５ａ，１２ｂ及び縁１５ｂ，１３ｂの二等分線上に対角折れ線ｍ１，ｍ２を形成し、該対角折れ線ｍ１，ｍ２を中心として後側板１５側の後部まち片１６ａ，１７ａと左右側板１２，１３側の前部まち片１６ｂ，１７ｂとをそれぞれ内方に向けて屈曲可能とする。また、後部まち片１６ａ，１７ａの後縁に後方に突出する突起１８，１９を形成し、上記前部まち片１６ｂ，１７ｂの左右方向の外縁部に係止片２０，２１を内方に向けて屈曲可能に連結し、該係止片２０，２１の連結部の中間部に上記突起１８，１９が嵌合可能な係止スリット２０ａ，２１ａを形成する。
【００１８】
上記前側板１４の前縁１４ｃに小面積の前天板辺３１を屈曲可能に連結するとともに、前縁１４ｃの左右端部に一対の係止スリット３２ａ，３２ｂを形成する。また、左右側板１２，１３の前縁１２ａ，１３ａに前部係止片３３，３４をぞれぞれ屈曲可能に連結し、各前部係止片３３，３４の外側縁部に上記係止スリット３２ａ，３２ｂと係合する突起３３ａ，３４ａを形成する。また、、上記後側板１５の後縁１５ｃに前述した底板１１と対応する後天板２３を屈曲可能に連結し、該後天板２３の後縁２３ａ及び左右縁部２３ｂ，２３ｃにすそ片３５，３６，３７を屈曲可能に連結し、後部のすそ片３５の左右端部に糊代３５ａ，３５ｂを屈曲可能に連結する。３６ａ，３７ａは左右のすそ片３６，３７の後部側に形成した折れ線である。
【００１９】
上記第２実施例の展開シート１０−１の組立て要領を図６、図７により説明する。まず、後天板２３の後縁２３ａ及び左右縁部２３ｂ，２３ｃに連結した各すそ片３５，３６，３７を内方に折り曲げるとともに、すそ片３５の各糊代３５ａ，３５ｂを内方に折り曲げて左右のすそ片３６，３７の内面に接着剤を介して固着し、図７に示すように、浅い容器状の天板部３８を形成する。次いで、前述した第１実施例と同様に、後側板１５及び左右側板１２，１３をそれぞれ上方に起立させるとともに、左右のまち板１６、１７を、その対角折れ線ｍ１，ｍ２を前方に押しつつ、縁１５ａ，１５ｂ、１２ｂ，１３ｂを中心として内方に折り曲げる。次いで各前まち辺１６ｂ，１７ｂ側の係止片２０，２１を内方に直角に折り曲げつつ、その係止スリット２０ａ，２１ａを各後まち辺１６ａ，１７ａの突起１８，１９に嵌合させ、これにより、上記後側板１５及び左右側板１２，１３を起立保持する。
【００２０】
次いで、左右の前部係止片３３，３４を内方に、次いで前側板１４を上方に屈曲させた後、前天板片３１を内方に屈曲させ、該屈曲部の係止スリット３２ａ，３２ｂを上記各前部係止片３３，３４の突起３３ａ，３４ａに嵌合させ、図７に示すように、キャップ状の天板部３８を有する菓子箱Ｂを形成する。該菓子箱Ｂは内部に菓子を収容した後、天板部３８を閉じる。
【００２１】
図８、図９は第３実施例を示す。図８において、１０−２は厚紙により形成した菓子箱用の展開シートであり、井桁状の折れ線を入れて内部に長方形状の底板１１を形成し、該底板１１の左右縁１１ａ，１１ｂ、及び前後縁１１ｃ，１１ｄにそれぞれ長方形状の左右側板１２，１３、及び前後側板１４，１５を屈曲可能に連結する。
【００２２】
上記後側板１５の左右縁１５ａ，１５ｂと、左右側板１２，１３の後縁１２ｂ，１３ｂとの間にそれぞれ左右のまち板１６，１７を連結する。該まち板１６，１７は前述した第１実施例と同様に、対角線側の外端部を谷形に削除するとともに、上記縁１５ａ，１２ｂ及び縁１５ｂ，１３ｂの二等分線上に対角折れ線ｍ１，ｍ２を形成し、該対角折れ線ｍ１，ｍ２を中心として後側板１５側の後部まち片１６ａ，１７ａと左右側板１２，１３側の前部まち片１６ｂ，１７ｂとをそれぞれ内方に向けて屈曲可能とする。また、後部まち片１６ａ，１７ａの後縁に後方に突出する突起１８，１９を形成し、上記前部まち片１６ｂ，１７ｂの左右方向の外縁部に係止片２０，２１を内方に向けて屈曲可能に連結し、該係止片２０，２１の連結部の中間部に上記突起１８，１９が嵌合可能な係止スリット２０ａ，２１ａを形成する。
【００２３】
上記前側板１４の前縁１４ｃに前後に前述した底板１１と対応する前天板２２を屈曲可能に連結し、該前天板２２の前縁２２ａに差込み片４０を屈曲可能に連結する。また、上記左右側板１２，１３の前縁１２ａ，１３ａに互いに係合可能な連結板２４，２５をぞれぞれ屈曲可能に連結する。該連結板２４，２５は、その前端部に互いに上下方向から係合可能な係合片２４ａ，２５ａを有する。さらに、上記左右側板１２，１３の外縁１２ｃ，１３ｃに小面積の横天板片４１，４２をそれぞれ屈曲可能に連結する。
【００２４】
上記第３実施例の展開シート１０−２の組立て要領を図８、図９により説明する。まず前述した第１実施例と同様に、後側板１５及び左右側板１２，１３をそれぞれ上方に起立させるとともに、左右のまち板１６、１７を、その対角折れ線ｍ１，ｍ２を前方に押しつつ、縁１５ａ，１５ｂ、１２ｂ，１３ｂを中心として内方に折り曲げる。次いで各前まち辺１６ｂ，１７ｂ側の係止片２０，２１を内方に直角に折り曲げつつ、その係止スリット２０ａ，２１ａを各後まち辺１６ａ，１７ａの突起１８，１９に嵌合させ、上記後側板１５及び左右側板１２，１３を起立保持する。
【００２５】
次いで、左右の連結板２４，２５を縁１２ａ、１３ａを中心として内方に屈曲させるとともに、その係合片２４ａ，２５ａを上下に係合させて両者を互いに連結し、図９に示すように直方体状の箱主体４３を形成する。次いで、横天板片４１，４２を内方に屈曲させた後、前側板１４、前天板２２を順次折り曲げて上記箱主体４３の前部及び上部を包囲し、差込み片４０を後側板１５の上部内面に差込み、直方体状の菓子箱Ｃを形成する。
【００２６】
上記第１〜第３実施例によれば、後側板１５の左右の縁と左右側板１２，１３の後部の縁との間にまち板１６，１７をそれぞれ内方に屈曲可能に設け、各まち板１６，１７の後縁に突起１８，１９を設けるとともに、該各まち板１６，１７の左右方向の外縁部に前記突起１８，１９に嵌合係止する係止片２０，２１を内方に向けて屈曲可能に設けるようにしたので、左右の手で並行して左右のまち板１６，１７を内方に曲げるとともに、その係止片２０，２１と突起１８，１９とを嵌合係止させ、左右側板１２，１３と後側板１５との三者を起立保持することができる。これにより、展開シート１０（１０−１，１０−２）の組立てが容易にかつ迅速に行えることになる。
【図面の簡単な説明】
【００２７】
【図１】本発明の第１実施例を示す展開シートの平面図である。
【図２】後側板と左右側板との組立て要領を示す斜視図である。
【図３】後側板と左右側板との組立て状態を示す斜視図である。
【図４】左右の連結板の係合状態を示す斜視図である。
【図５】組立て完了した菓子箱の斜視図である。
【図６】本発明の第２実施例を示す展開シートの平面図である。
【図７】第２実施例による組立て中途の状態を示す斜視図である。
【図８】本発明の第３実施例を示す展開シートの平面図である。
【図９】第３実施例による組立て中途の状態を示す斜視図である。
【図１０】従来例による組立て途中の状態を示す斜視図である。
【符号の説明】
【００２８】
Ａ（Ｂ，Ｃ）    菓子箱
１０（１０−１，１０−２）    展開シート
１１    底板
１１ａ  左縁
１１ｂ  右縁
１１ｃ  前縁
１１ｄ  後縁
１２    左側板
１２ａ  前縁
１２ｂ  後縁
１２ｃ  外縁
１３    右側板
１３ａ  前縁
１３ｂ  後縁
１３ｃ  外縁
１４    前側板
１４ｃ  前縁
１５    後側板
１５ａ  左縁
１５ｂ  右縁
１５ｃ  後縁
１６    左まち板
１６ａ  後部まち片
１６ｂ  前部まち片
１７    右まち板
１７ａ  後部まち片
１７ｂ  前部まち片
１８，１９      突起
２０，２１    係止片
２０ａ，２１ａ  係止スリット
２２，２３    天板
２２ａ，２３ａ  係合突起
２４，２５    連結板
２４ａ，２５ａ  係合片
２６，２７    把手
２６ａ，２７ａ，２６ｂ，２７ｂ   係合突起
２６ｃ，２７ｃ  スリット
２７ｄ  逃げ片
２８，２９    止め片
２８ａ，２９ａ  止めスリット
３０    把手孔
３１    前天板片
３２ａ，３２ｂ    係止スリット
３３，３４    前部係止片
３５，３６，３７    すそ片
３５ａ，３５ｂ  糊代
３６ａ，３７ａ  折れ線
３８    天板部
４０    差込み片
４１，４２    横天板片
４３    箱主体
ｍ１，ｍ２  対角折れ線
【図１】
2004338799.tif 000003
【図２】
2004338799.tif 000004
【図３】
2004338799.tif 000005
【図４】
2004338799.tif 000006
【図５】
2004338799.tif 000007
【図６】
2004338799.tif 000008
【図７】
2004338799.tif 000009
【図８】
2004338799.tif 000010
【図９】
2004338799.tif 000011
【図１０】
2004338799.tif 000012